(57)【要約】【課題】レンズ鏡筒の着脱を容易に可能とするレンズ取付機構及びプロジェクタ装置を提供する。【解決手段】リング部材７の耳片７ａ，７ｂを触ってリング部材７を回動してベース部材６の溝６ａとリング部材７の凹部７ｃとを周方向で重ね、レンズ鏡筒３を孔部８に差し込むと鏡筒装着部材５の突部５ｃが邪魔をせずに孔部８に移動し、フランジ部５ｂが開口端面６ｂに当接するまでレンズ鏡筒３を孔部８に差し込むことができる。そして、その後、リング部材７の耳片７ａ，７ｂを触ってリング部材７を回動して凹部７ｃをベース部材６の溝６ａと周方向でずらすことで鏡筒装着部材５の突部５ｃがリング部材７で係止されて鏡筒装着部材５をベース部材６に固定し、レンズ鏡筒３を装置本体２に取り付けることができる。【選択図】　図２
2004133358.tif 000002
【特許請求の範囲】
【請求項１】
レンズが内部に配置されたレンズ鏡筒の外周に装着され、筒状部、該筒状部の一端から外径方向に延出するフランジ部及び前記筒状部の他端から周方向で複数点在して外径方向に突出する突部を有する鏡筒装着部材と、
レンズ鏡筒の取り付けられる装置本体に固定され、レンズ鏡筒と共に前記筒状部が前記他端側から差し込まれる孔部、該孔部の内周面に形成された前記突部を差し込み可能にする溝及び前記フランジ部を当接させる前記孔部の開口端面を有するベース部材と、
該ベース部材に挟まれた状態で回動可能に配置され、内周に前記溝と同様に前記突部を差し込み可能にする凹部を有するリング部材と、
を備え、
前記リング部材を回動して前記ベース部材の前記溝と前記リング部材の前記凹部とを周方向で重ねることで前記鏡筒装着部材の前記フランジ部が前記開口端面に当接するまでレンズ鏡筒を前記孔部に差し込み、その後前記リング部材を回動して前記凹部を前記溝と周方向でずらすことで前記突部が前記リング部材で係止されて前記鏡筒装着部材を固定することによってレンズ鏡筒を装置本体に取り付けることを特徴とするレンズ取付機構。
【請求項２】
前記突部が前記リング部材で係止された際に前記突部をレンズ鏡筒の差し込み方向に付勢する付勢手段を備えたことを特徴とする請求項１に記載のレンズ取付機構。
【請求項３】
前記付勢手段は、前記リング部材の前記突部を係止した位置をレンズ鏡筒の差し込み側に折り曲げた屈曲部であることを特徴とする請求項２に記載のレンズ取付機構。
【請求項４】
前記付勢手段は、レンズ鏡筒の差し込み側に前記リング部材に重ねて配置されて前記突部を係止した位置が板バネとなっているバネ部材であることを特徴とする請求項２に記載のレンズ取付機構。
【請求項５】
前記リング部材を、前記溝と前記凹部とを周方向で重ねた位置と、前記溝と前記凹部とを周方向でずらした位置と、に位置決めするロック機構を備えたことを特徴とする請求項１から４のいずれか１項に記載のレンズ取付機構。
【請求項６】
前記ロック機構は、ベース部材に設けられた位置決め穴と、前記リング部材に取り付け固定された固定部材と、前記位置決め穴に係合する凸部を有し、前記凸部の前記位置決め穴に対する係合を解除可能とするように前記固定部材にスライド可能に取り付けられたスライド部材と、前記凸部が前記位置決め穴に係合する方向に前記スライド部材を付勢する第２付勢手段と、で構成され、
前記スライド部材を前記第２付勢手段の付勢に抗してスライドさせることで前記凸部の前記位置決め穴に対する係合を解除して前記リング部材を回動可能とすると共に、前記位置決め穴に前記凸部を係合させることで前記溝と前記凹部とを周方向で重ねた位置と、前記溝と前記凹部とを周方向でずらした位置と、に前記リング部材を位置決めすることを特徴とする請求項５に記載のレンズ取付機構。
【請求項７】
請求項１から６のいずれか１項に記載のレンズ取付機構と、
該レンズ取付機構によって着脱自在となるレンズ鏡筒と、
該レンズ鏡筒が取り付けられる装置本体と、
を備えたことを特徴とするプロジェクタ装置。
【発明の詳細な説明】
【０００１】
【発明の属する技術分野】
本発明は、投写された画像をスクリーンに投影表示する投写型画像表示装置等に用いられるプロジェクタ装置に関し、特にレンズ鏡筒を着脱するためのレンズ取付機構に関するものである。
【０００２】
【従来の技術】
従来のプロジェクタ装置の構成例を説明する。プロジェクタ装置には、メタルハイドランプ等よりなる光源、分離用のダイクロイックミラー、反射ミラー、液晶パネル、光合成用のダイクロイックミラー、一対の液体プリズムにより構成される光路調整機構、投写レンズが筐体内に取り付けられている。
【０００３】
光源より発せられた光は分離用のダイクロイックミラーにより赤色、青色、緑色の３原色の光に分光される。この分光された光は各光路上での液晶パネルにおいて各色成分の画像情報に応じて透過率が変調される。この変調された光は光合成用のダイクロイックミラーにより合成される。そして、この合成された光は光路変調機構により光路が調整された後、投写レンズによりスクリーン上に拡大投写する。
【０００４】
以上のような画像の拡大投写を行うプロジェクタ装置は、スクリーンまでの距離やスクリーンの大きさ等の条件が異なる場所で使用される。
【０００５】
このため、画像精度を向上するためにプロジェクタ装置のレンズを交換することでこの各種条件に対応している。
【０００６】
また、レンズを交換可能とすることで、修理等において代替レンズを装着して使用したり、レンズ部品の交換の必要があるときにレンズ部分だけの交換を行ったりすることができる等、利便性も向上するものである。
【０００７】
ここで、従来のプロジェクタ装置のレンズの交換方法を説明する。図１２は従来のレンズ交換部分を一部切り欠いて示すプロジェクタ装置の概略図である。
【０００８】
図１２において、プロジェクタ装置１０１は、概略、装置本体１０２とレンズ鏡筒１０３から構成されている。レンズ鏡筒１０３には、レンズが配置されており、レンズ鏡筒１０３を交換することでレンズの交換が可能となっている。
【０００９】
このレンズ鏡筒１０３の取り付けは、図１２に示すように、レンズ鏡筒１０３のフランジ部１０３ａの４箇所を装置本体１０２の所定位置に対してねじ１０４によりねじ止めされる方法が取られていた。
【００１０】
【発明が解決しようとする課題】
しかしながら、上記従来技術では、プロジェクタ装置が特に大型なものの場合、レンズ鏡筒自体がとても重く、その重さで扱い難いこともさることながら外径も大きく回転等してしまうと周辺部品と干渉して破損を招くおそれがあり、重いレンズ鏡筒の姿勢、位置等を安定させておいて着脱を行うことは困難であった。
【００１１】
特に、レンズ鏡筒が大きく、その周りのスペースも限られていることから、作業者がレンズ鏡筒を持ち上げるための手も入れ難い状況であり、専用工具でのねじ止めしかできない作業性の悪いものであった。
【００１２】
そして、作業自体も、レンズ鏡筒を持ち上げる役目の者と専用工具でねじ止めを行う者との複数人がかりで行う必要があり、大変面倒であった。
【００１３】
本発明は、上記従来技術に鑑みてなされたものであり、その目的とするところは、レンズ鏡筒の着脱を容易に可能とするレンズ取付機構及びプロジェクタ装置を提供することにある。
【００１４】
【課題を解決するための手段】
上記目的を達成するために本発明のレンズ取付機構にあっては、レンズが内部に配置されたレンズ鏡筒の外周に装着され、筒状部、該筒状部の一端から外径方向に延出するフランジ部及び前記筒状部の他端から周方向で複数点在して外径方向に突出する突部を有する鏡筒装着部材と、レンズ鏡筒の取り付けられる装置本体に固定され、レンズ鏡筒と共に前記筒状部が前記他端側から差し込まれる孔部、該孔部の内周面に形成された前記突部を差し込み可能にする溝及び前記フランジ部を当接させる前記孔部の開口端面を有するベース部材と、該ベース部材に挟まれた状態で回動可能に配置され、内周に前記溝と同様に前記突部を差し込み可能にする凹部を有するリング部材と、を備え、前記リング部材を回動して前記ベース部材の前記溝と前記リング部材の前記凹部とを周方向で重ねることで前記鏡筒装着部材の前記フランジ部が前記開口端面に当接するまでレンズ鏡筒を前記孔部に差し込み、その後前記リング部材を回動して前記凹部を前記溝と周方向でずらすことで前記突部が前記リング部材で係止されて前記鏡筒装着部材を固定することによってレンズ鏡筒を装置本体に取り付けることを特徴とする。
【００１５】
したがって、鏡筒装着部材のフランジ部が開口端面に当接するまでレンズ鏡筒をベース部材の孔部に差し込み、次にリング部材を回動することだけでレンズ鏡筒の取り付けが可能である。
【００１６】
よって、レンズ鏡筒を鏡筒装着部材の突部がベース部材の孔部の溝に沿って差し込みできれば、重いレンズ鏡筒の姿勢、位置等を安定させておいて着脱が可能となる。
【００１７】
また、この様にレンズ鏡筒の姿勢、位置等を安定させておいて差し込みができ、固定を専用工具も必要なくリング部材の回動だけでワンタッチで着脱が行えるので、作業性が容易となり、作業自体も一人で行うことができる。
【００１８】
前記突部が前記リング部材で係止された際に前記突部をレンズ鏡筒の差し込み方向に付勢する付勢手段を備えたことが好適である。
【００１９】
これにより、鏡筒装着部材をしっかりと固定でき、レンズ鏡筒ががたつくことが防止できる。
【００２０】
前記付勢手段は、前記リング部材の前記突部を係止した位置をレンズ鏡筒の差し込み側に折り曲げた屈曲部であることが好適である。
【００２１】
これにより、突部をリング部材の屈曲部で押し付けて付勢することができる。
【００２２】
前記付勢手段は、レンズ鏡筒の差し込み側に前記リング部材に重ねて配置されて前記突部を係止した位置が板バネとなっているバネ部材であることが好適である。
【００２３】
これにより、突部を板バネで押し付けて付勢することができる。
【００２４】
前記リング部材を、前記溝と前記凹部とを周方向で重ねた位置と、前記溝と前記凹部とを周方向でずらした位置と、に位置決めするロック機構を備えたことが好適である。
【００２５】
これにより、リング部材の周方向への移動を行ったときの位置決めが精度よくできる。
【００２６】
前記ロック機構は、ベース部材に設けられた位置決め穴と、前記リング部材に取り付け固定された固定部材と、前記位置決め穴に係合する凸部を有し、前記凸部の前記位置決め穴に対する係合を解除可能とするように前記固定部材にスライド可能に取り付けられたスライド部材と、前記凸部が前記位置決め穴に係合する方向に前記スライド部材を付勢する第２付勢手段と、で構成され、前記スライド部材を前記第２付勢手段の付勢に抗してスライドさせることで前記凸部の前記位置決め穴に対する係合を解除して前記リング部材を回動可能とすると共に、前記位置決め穴に前記凸部を係合させることで前記溝と前記凹部とを周方向で重ねた位置と、前記溝と前記凹部とを周方向でずらした位置と、に前記リング部材を位置決めすることが好適である。
【００２７】
これにより、スライド部材をスライドさせることによって凸部を位置決め穴から抜いて位置決めしている凸部と位置決め穴との係合を解除することができ、また、スライド状態のスライド部材に力を加えなければスライド部材が第２付勢手段の付勢により自然に係合方向へスライドするので、作業者の作業が非常に簡便となる。
【００２８】
本発明のプロジェクタ装置にあっては、上記のレンズ取付機構と、該レンズ取付機構によって着脱自在となるレンズ鏡筒と、該レンズ鏡筒が取り付けられる装置本体と、を備えたことを特徴とする。
【００２９】
【発明の実施の形態】
（第１の実施の形態）
図１〜図４を用いて第１の実施の形態について説明する。
【００３０】
図１は第１の実施の形態に係るプロジェクタ装置１を示す図である。図１のプロジェクタ装置１は、箱型筐体の装置本体２にレンズ鏡筒３が取り付けられるものである。図１では特にレンズ交換部分が一部切り欠いて示されている。
【００３１】
プロジェクタ装置１は、装置本体２と、レンズが配置されたレンズ鏡筒３と、レンズ鏡筒３を装置本体２に取り付けるためのレンズ取付機構４と、を備える。
【００３２】
装置本体２には、不図示であるが、光源、各種ミラー、画像表示パネル、レンズ鏡筒移動機構等が配置されている。
【００３３】
また、レンズ鏡筒３には、投写するスクリーンまでの距離やスクリーンの大きさ等の条件に合わせた各種レンズが配置されている。
【００３４】
そして、プロジェクタ装置１では、光源から発せられた光が、各種ミラーで反射して折り返されながら、途中画像表示パネルで画像情報に応じて透過率が変調され、レンズ鏡筒３を通過してスクリーン上に拡大投写される。
【００３５】
レンズ取付機構４は、図２に具体的に拡大して示すものである。図２において、レンズ取付機構４は、円筒形のレンズ鏡筒３の外周に装着された鏡筒装着部材５と、装置本体２の台座２ａに固定されたベース部材６と、ベース部材６に挟まれた状態で回動可能に配置されたリング部材７と、を備える。
【００３６】
鏡筒装着部材５は、レンズ鏡筒３が挿通された筒状部５ａと、筒状部５ａの一端から外径方向に延出する矩形のフランジ部５ｂと、筒状部５ａの他端から周方向で複数点在して外径方向に突出する突部５ｃと、を備える。この筒状部５ａは、レンズ鏡筒３の外周に装着されて固定されており、レンズ鏡筒３と一体化されている。
【００３７】
一方、ベース部材６は、中心にレンズ鏡筒３の一部が差し込まれる孔部８を備えている。孔部８は、開口径が筒状部５ａの外径より若干大きく形成されている。
【００３８】
孔部８を形成するベース部材６の内周面には、筒状部５ａから外径方向に突出した鏡筒装着部材５の突部５ｃもレンズ鏡筒３と共に孔部８へ差し込み可能となるように溝６ａが形成されている。溝６ａは、レンズ鏡筒３が差し込み可能なように周方向位置を突部５ｃと合わせて複数設けられており、本実施の形態では、突部５ｃや溝６ａの数は周方向に８箇所である。
【００３９】
また、ベース部材６のレンズ鏡筒３の差し込まれる側の開口端面６ｂは、レンズ鏡筒３を鏡筒装着部材５と伴にベース部材６の孔部８に差し込んだ時に鏡筒装着部材５のフランジ部５ｂが最終的に当接する部分である。
【００４０】
このベース部材６は、ベース本体部６ｃと、鏡筒装着部材５側の開口端面６ｂとなる押さえ板６ｄと、から構成されている。ベース本体部６ｃには、ベース部材６の押さえ板６ｄを不図示とした図３に示すようにリング部材７が孔部８と同中心で回動可能なようにリング部材７の外径形状に合わせた掘り込み６ｅが形成されている。そして、ベース本体部６ｃの掘り込み６ｅ内にリング部材７を配置した状態で押さえ板６ｄがその上からリング部材７の取り出しができないようにベース本体部６ｃにねじ止めされる。これによって、リング部材７は、ベース部材６に中心位置のずれなく周方向に回動可能に挟まれた状態となっている。
【００４１】
リング部材７は、図３に示すような環状である。リング部材７の内周は、孔部８と略同径の孔になっている。リング部材７の外周には、一対の耳片７ａ，７ｂがベース部材６から突出して設けられている。よって、リング部材７は、耳片７ａ，７ｂを作業者が触ることで回動させることができる。
【００４２】
またこのリング部材７には、ベース部材６の孔部８を形成する内周に形成された溝６ａと同様に突部５ｃを差し込み可能にする溝６ａと同形状の凹部７ｃが溝６ａと同数内周に形成されている。
【００４３】
ここで、図３に示す状態を説明すると、図３（ａ）では、溝６ａと凹部７ｃが周方向で重ねられた位置にあり、レンズ鏡筒３をベース部材６に差し込んだ時に鏡筒装着部材５の突部５ｃも孔部８に差し込まれていくことが可能となっている。
【００４４】
一方、図３（ｂ）では、溝６ａに対して凹部７ｃが周方向で異なる位置にあり、溝６ａが破線で示されているようにリング部材７で遮断された状態である。よって、この図３（ｂ）の状態では、突部５ｃがリング部材７に当接してしまうので、レンズ鏡筒３をベース部材６に差し込むことができない。
【００４５】
しかし、一方で、レンズ鏡筒３のベース部材６への差し込み完了後に、リング部材７を図３（ａ）から図３（ｂ）の状態になるように回動すると、突部５ｃがリング部材７で係止されるためにベース部材６からレンズ鏡筒３の離脱ができなくなる。即ち、レンズ鏡筒３の装置本体２への取り付けができることになる。
【００４６】
ここで、突部５ｃがリング部材７で係止された時にレンズ鏡筒３が差し込み方向又は反差し込み方向にスライドしてがたつかないようにする必要がある。このため、ベース部材６の開口端面６ｂに鏡筒装着部材５のフランジ部５ｂが当接するまでレンズ鏡筒３が差し込まれた状態で突部５ｃがリング部材７で係止されるように寸法設計がなされている。
【００４７】
以上の構成に基づいて、レンズ鏡筒３の装着について説明する。まず、リング部材７の耳片７ａ，７ｂを触ってリング部材７を回動してベース部材６の溝６ａとリング部材７の凹部７ｃとを周方向で重ね、レンズ鏡筒３を孔部８に差し込む。すると、鏡筒装着部材５の突部５ｃがリング部材７に邪魔をされずに孔部８の溝６ａ及び凹部７ｃを移動し、フランジ部５ｂが開口端面６ｂに当接するまでレンズ鏡筒３を孔部８に差し込むことができる。
【００４８】
その後、リング部材７の耳片７ａ，７ｂを触ってリング部材７を回動させて凹部７ｃをベース部材６の溝６ａに対して周方向でずらすことで鏡筒装着部材５の突部５ｃがリング部材７で係止され、鏡筒装着部材５をベース部材６に固定してレンズ鏡筒３を装置本体２に取り付けることができる。
【００４９】
また、この動作の逆を行えばレンズ鏡筒３の装置本体２からの離脱が可能である。即ち、鏡筒装着部材５の突部５ｃがリング部材７で係止してレンズ鏡筒３を装置本体２に取り付けた凹部７ｃを溝６ａに対して周方向でずらした状態からリング部材７を回動させて溝６ａと凹部７ｃとを周方向で重ね、レンズ鏡筒３を引き抜くことでレンズ鏡筒３を装置本体２から離脱することができる。
【００５０】
以上のように、本実施の形態では、溝６ａと凹部７ｃとを周方向で重ね、鏡筒装着部材５のフランジ部５ｂが開口端面６ｂに当接するまでレンズ鏡筒３をベース部材６の形成する孔部８に差し込み、次にリング部材７を回動して凹部７ｃを溝６ａに対して周方向でずらすことだけでレンズ鏡筒３の取り付けが可能である。
【００５１】
よって、レンズ鏡筒３を鏡筒装着部材５の突部５ｃがベース部材６の孔部８の溝６ａに沿って差し込みできれば、重いレンズ鏡筒３の姿勢、位置等を安定させておいてその着脱が可能となる。
【００５２】
また、この様にレンズ鏡筒３の姿勢、位置等を安定させておいて差し込みができ、固定を専用工具も必要なくリング部材７の回動だけでワンタッチで着脱が行えるので、作業性が容易となり、作業自体も一人で行うことができる。
【００５３】
また、本実施の形態のリング部材７は、次のような特徴も有している。即ち、凹部７ｃを溝６ａと周方向でずらした時のリング部材７を係止した位置をレンズ鏡筒３の差し込み側に折り曲げた付勢手段としての屈曲部７ｄとしている。
【００５４】
屈曲部７ｄは、平板部分に対して屈曲部７ｄが図４（ｂ）の矢印で示すようなレンズ鏡筒３の差し込み方向（差し込み奥側）に突き出ており、屈曲部７ｄ自身の弾性で鏡筒装着部材５の突部５ｃを差し込み方向へ押し付ける付勢を行うため、鏡筒装着部材５はフランジ部５ｂが開口端面６ｂに確実に当接した状態に維持される。よって、鏡筒装着部材５をしっかりとベース部材６に固定でき、レンズ鏡筒３が装置本体２に対してがたつくことが防止できる。
【００５５】
なお、この屈曲部７ｄは、溝６ａと凹部７ｃとを周方向で重ねた状態では、図４（ａ）に示すように溝６ａと周方向で異なる位置の隙間にある。
【００５６】
また、リング部材７には、回動位置を限定するためにロック機構としてレバー９を一方の耳片７ｂに取り付けている。レバー９は、先端がベース部材６のベース本体部６ｃに設けられた穴１０に係合するようなバネ性を有するものである。このレバー９に対する穴１０の位置は、図２に示すように、溝６ａと凹部７ｃとを周方向で重ねた位置と、溝６ａと凹部７ｃとを周方向でずらした位置と、に２箇所設定される。
【００５７】
このレバー９と穴１０との係合によってリング部材７の周方向での移動位置をうまくコントロールすることができ、リング部材７の位置を精度よく位置決めすることができる。
【００５８】
なお、レバー９以外にもリング部材７とベース部材６とに凹凸の係合機構を所定の箇所に設けることで同様なロック機構を実現してもよい。
【００５９】
ここで、このプロジェクタ装置には、不図示であるが、レンズ鏡筒移動機構を搭載している。レンズ鏡筒移動機構は、上下方向及び左右方向に延在するガイドレールに沿ってレンズ鏡筒を移動させる機構で、２つの駆動源がそれぞれのガイドレールに対応するラックを移動させることで、レンズ鏡筒が上下方向又は左右方向にシフト調整される。
【００６０】
（第２の実施の形態）
図５〜図７を用いて第２の実施の形態について説明する。なお、プロジェクタ装置全体、及び各部材の形状、材質等は第１の実施の形態と同様であるので、その説明は省略する。
【００６１】
本実施の形態では、第１の実施の形態と異なり、リング部材７に屈曲部を形成していない。しかし、リング部材７に重ねて一体化されて配置された付勢手段としてのバネ部材１１を備えている。
【００６２】
即ち、本実施の形態のレンズ取付機構４は、レンズ鏡筒３の外周に装着された鏡筒装着部材５と、装置本体２の台座２ａに固定されたベース部材６と、ベース部材６に挟まれた状態で回動可能に配置されたリング部材７と、リング部材７に重ねて一体化されて重ねられたバネ部材１１と、を備える。
【００６３】
バネ部材１１は、概略図７のような環状形状をしており、突部５ｃを係止する位置が切り起こされて自身で弾性を有する板バネ部１１ａとなっている。また、リング部材と同様に鏡筒装着部材５の突部５ｃを通過させるための凹部１１ｂを有する。
【００６４】
バネ部材１１の板バネ部１１ａは、図６（ｂ）の矢印で示すように鏡筒装着部材５の突部５ｃをレンズ鏡筒３の差し込み方向へ押し付ける付勢を行うため、鏡筒装着部材５はフランジ部５ｂが開口端面６ｂに確実に当接した状態に維持される。よって、鏡筒装着部材５をしっかりと固定でき、レンズ鏡筒３が装置本体２に対してがたつくことが防止できる。
【００６５】
なお、この板バネ部１１ａは、溝６ａと凹部７ｃとを周方向で重ねた状態では、図６（ａ）に示すように溝と周方向で異なる位置にある。また、この状態では、凹部７ｃにバネ部材１１の凹部１１ｂが周方向で重なっている。
【００６６】
以上の構成においても、第１の実施の形態と同様の効果を得ることができる。
【００６７】
（第３の実施の形態）
図８〜図１１を用いて第３の実施の形態について説明する。なお、プロジェクタ装置全体、及び各部材の形状、材質等は第１の実施の形態と同様であり、レンズ取付機構は第２の実施の形態と同様であるので、その説明は省略する。
【００６８】
本実施の形態は、図８に示すように、第２の実施の形態のレンズ取付機構４に対し、上記第１、第２の実施の形態とは異なるロック機構を採用した構成である。
【００６９】
ロック機構としては、ベース本体部６ｃに設けられた位置決め穴１２と、リング部材７に設けられたレバー１３と、から構成される。
【００７０】
位置決め穴１２は、ベース本体部６ｃの表面に形成された楕円形状の穴であり、溝６ａと凹部７ｃとを周方向で重ねた位置（図９（ａ））と、溝６ａと凹部７ｃとを周方向でずらした位置（図９（ｂ））と、の双方において後述するレバー１３を構成するスライド部材１５の凸部１５ａと係合するように２ヶ所形成される。
【００７１】
レバー１３は、図１０に示すように、リング部材７に取り付け固定された固定部材１４と、位置決め穴１２に係合する凸部１５ａを有し、凸部１５ａの位置決め穴１２に対する係合を解除可能とするように固定部材１４にスライド可能に取り付けられたスライド部材１５と、固定部材１４とスライド部材１５との間に挟まれる板バネ部材１６と、凸部１５ａが位置決め穴１２に係合する方向にスライド部材１５を付勢する第２付勢手段としてのコイルバネ１７と、で構成される。
【００７２】
固定部材１４は、薄板状であり、取付部１４ａと本体部１４ｂとつまみ部１４ｃとを有する。固定部材１４は、リング部材７の耳片７ｂに対して取付部１４ａがビスによって取り付けられ、取付部１４ａから本体部１４ｂがリング部材７の表面に垂直に延出しリング部材７と平行に折れ曲がったＬ字状に形成され、本体部１４ｂの取付部１４ａとは反対側端部に作業者が操作するつまみ部１４ｃが形成される。
【００７３】
また、スライド部材１５は、固定部材１４と略同形状の薄板状であり、凸部１５ａと本体部１５ｂとつまみ部１５ｃを有し、固定部材１４に重ねられている。スライド部材１５は、位置決め穴１２に係合する凸部１５ａがＬ字状の本体部１５ｂの先端に設けられ、本体部１５ｂが固定部材１４の本体部１４ｂより相対的に小さく同形状で形成され、本体部１５ｂの凸部１５ａとは反対側端部に作業者が操作するつまみ部１５ｃが形成される。
【００７４】
このスライド部材１５には、本体部１５ｂにスライド用孔１５ｄ，１５ｅが形成されており、このスライド用孔１５ｄ，１５ｅにそれぞれピン１８ａ，１８ｂが差し込まれることでピン１８ａ，１８ｂが固定部材１４に固定されている。ピン１８ａ，１８ｂは、スライド部材１５のスライド量をピン１８ａがスライド用孔１５ｄ内で移動できる範囲に制限する。
【００７５】
板バネ部材１６は、固定部材１４の本体部１４ｂとスライド部材１５の本体部１５ｂとの間に延出方向に反りを有する状態で挟み込まれている。この板バネ部材１６が固定部材１４とスライド部材１５の間に挟み込まれることにより、固定部材１４とスライド部材１５との間に両者が相反する方向のテンションがかかり、装置作動時の振動でスライド部材１５が共振して共鳴することが防止される。また、スライド部材１５が固定部材１４に引っ掛からずにスムーズにスライドできるという効果も得られる。なお、板バネ部材１６を用いることなく、固定部材１４又はスライド部材１５の一方を板バネ部材１６の機能を持たせる形状としてその効果を発揮させることでもよい。
【００７６】
一方、コイルバネ１７は、固定部材１４の本体部１４ｂに設けられスライド用孔１５ｅから突出したフック１４ｄと、スライド部材１５の本体部１５ｂに設けられたフック１５ｆと、の間に掛け渡され、凸部１５ａが位置決め穴１２に係合する方向、即ち、凸部１５ａをベース本体部６ｃ側に押出す方向に付勢する。
【００７７】
以上の構成に基づいて、ロック機構の解除動作について説明する。ここでは、図９に示すように溝６ａと凹部７ｃとを周方向で重ねた位置（図９（ａ））から、溝６ａと凹部７ｃとを周方向でずらした位置（図９（ｂ））にまで、リング部材７を回動させる動作に基づいて説明する。
【００７８】
具体的には、図１１に示すように、スライド部材１５の凸部１５ａが位置決め穴１２に係合している状態（図１１（ａ））から、スライド部材１５をコイルバネ１７の付勢に抗して図示矢印Ｆの方向にスライドさせることで凸部１５ａの位置決め穴１２に対する係合を解除してリング部材７を回動可能な状態（図１１（ｂ）））にする。
【００７９】
この時、スライド部材１５をスライドさせる動作は、スライド部材１５のつまみ部１５ｃを固定部材１４のつまみ部１４ｃに引き寄せることで行うことができる。この引き寄せる作業は、作業者が片手の親指と人差し指等をそれぞれのつまみ部１５ｃ，１４ｃにかけて片手で簡単に行うことができる。
【００８０】
次に、レバー１３を動かしてリング部材７をほんの少し凸部１５ａが位置決め穴１２に差し込まれない位置にまで回動させる。これにより、作業者がスライド部材１５をスライドさせる力を緩めたとしても、スライド部材１５はコイルバネ１７の付勢により凸部１５ａがベース本体部６ｃの表面に突き当たった状態となり、リング部材７の回動には影響を与えない。
【００８１】
そして、リング部材７の回動は、スライド部材１５をスライドさせるか否かにかかわらず、上記の凸部１５ａがベース本体部６ｃの表面に突き当たった状態で図９（ａ）から図９（ｂ）まで行っていけば、所望の位置決め穴１２までリング部材７が回動すると、凸部１５ａがコイルバネ１７の付勢によって自動的に位置決め穴１２に差し込まれて係合状態となる。
【００８２】
このため、作業者としては、スライド部材１５のスライド作業とリング部材７の回動作業とを同時に行うことは係合解除するときのほとんどわずかであり、その後はリング部材７の回動作業に専念することで作業が終了するので、作業者のロック機構解除からリング部材７の回動作業までがより単純で簡便なものとなっている。
【００８３】
【発明の効果】
以上説明したように本発明では、リング部材を回動してベース部材の溝とリング部材の凹部とを周方向で重ねることで鏡筒装着部材のフランジ部が開口端面に当接するまでレンズ鏡筒を孔部に差し込み、その後リング部材を回動して凹部を溝と周方向でずらすことで突部がリング部材で係止されて鏡筒装着部材を固定することによってレンズ鏡筒を装置本体に取り付けるので、鏡筒装着部材のフランジ部が開口端面に当接するまでレンズ鏡筒をベース部材の孔部に差し込み、次にリング部材を回動することだけでレンズ鏡筒の取り付けが可能である。
【００８４】
よって、レンズ鏡筒を鏡筒装着部材の突部がベース部材の孔部の溝に嵌るように差し込みできれば、重いレンズ鏡筒の姿勢、位置等を安定させておいて着脱が可能となる。
【００８５】
また、この様にレンズ鏡筒の姿勢、位置等を安定させておいて差し込みができ、固定を専用工具も必要なくリング部材の回動だけでワンタッチで着脱が行えるので、作業性が容易となり、作業自体も一人で行うことができる。
【図面の簡単な説明】
【図１】第１の実施の形態に係るプロジェクタ装置を示す図である。
【図２】第１の実施の形態に係るレンズ取付機構を示す図である。
【図３】第１の実施の形態に係るレンズ取付機構の要部を示す図である。
【図４】第１の実施の形態に係るレンズ取付機構の要部を示す図である。
【図５】第２の実施の形態に係るレンズ取付機構を示す図である。
【図６】第２の実施の形態に係るレンズ取付機構の要部を示す図である。
【図７】第２の実施の形態に係るバネ部材を示す図である。
【図８】第３の実施の形態に係るレンズ取付機構を示す図である。
【図９】第３の実施の形態に係るレンズ取付機構の要部を示す図である。
【図１０】第３の実施の形態に係るレンズ取付機構のレバーを示す図である。
【図１１】第３の実施の形態に係るレンズ取付機構のレバーを示す図である。
【図１２】従来技術のプロジェクタ装置を示す図である。
【符号の説明】
１　プロジェクタ装置
２　装置本体
２ａ　台座
３　レンズ鏡筒
４　レンズ取付機構
５　鏡筒装着部材
５ａ　筒状部
５ｂ　フランジ部
５ｃ　突部
６　ベース部材
６ａ　溝
６ｂ　開口端面
６ｃ　ベース本体部
６ｄ　押さえ板
６ｅ　掘り込み
７　リング部材
７ｃ　凹部
７ｄ　屈曲部
７ａ，７ｂ　耳片
８　孔部
９　レバー
１０　穴
１１　バネ部材
１１ａ　板バネ部
１１ｂ　凹部
１２　位置決め穴
１３　レバー
１４ｄ　フック
１４　固定部材
１４ａ　取付部
１４ｂ　本体部
１４ｃ　つまみ部
１５　スライド部材
１５ａ　凸部
１５ｂ　本体部
１５ｃ　つまみ部
１５ｄ，１５ｅ　スライド用孔
１５ｆ　フック
１６　板バネ部材
１７　コイルバネ
１８ａ，１８ｂ　ピン
【図１】
2004133358.tif 000003
【図２】
2004133358.tif 000004
【図３】
2004133358.tif 000005
【図４】
2004133358.tif 000006
【図５】
2004133358.tif 000007
【図６】
2004133358.tif 000008
【図７】
2004133358.tif 000009
【図８】
2004133358.tif 000010
【図９】
2004133358.tif 000011
【図１０】
2004133358.tif 000012
【図１１】
2004133358.tif 000013
【図１２】
2004133358.tif 000014